(57)【要約】　　　（修正有）【課題】液晶ディスプレイパネルの全体寸法を低減するため、改良した押しボタン構造を提供する。【解決手段】改良した押しボタン構造は、対をなす弾性部２１との間にボタン本体２２を突出した状態に設け、該弾性部は弾力性かつ柔軟性のある帯状に形成されており、且つ該ボタン本体の側面に連続して折り曲がって成形された緩衝体２１３を有する。該押しボタン全体は、立体垂直状であり、利用者が押しボタンを押すかまたは離すことによって、弾性部が伸縮動作を行う。立体式の押しボタン構造は、液晶ディスプレイパネルに取り付ける場合、必要とする空間は小さくてすむため、パネル全体の寸法を大幅に低減することができる。【選択図】図５
0003097543.tif 000002
【実用新案登録請求の範囲】
【請求項１】
弾性部材と、対をなす弾性部材との間に連結され、突出した状態に設置されるボタン本体を有する押しボタン構造において、
前記弾性部材は、連続し折り曲がって成形された弾力性且つ柔軟性のある帯状に形成されており、該弾性部材の一端部は、前記ボタン本体の側面に連結され、該ボタン本体を押圧するまたは該押圧を解除することによって前記弾性部材が伸縮することを特徴とする押しボタン構造。
【請求項２】
前記弾性部材は、上リブと、下リブと、該上下リブ間に連接されている緩衝体とを含んでおり、前記上リブはボタン本体の側面に連結され、前記緩衝体は弾力性且つ柔軟性のある帯状に形成され、前記ボタン本体側面に連続して折り曲がって成形されることを特徴とする請求項１記載の押しボタン構造。
【請求項３】
前記押しボタンは、複数のボタンが列をなして設けられていることを特徴とする請求項１記載の押しボタン構造。
【考案の詳細な説明】
【０００１】
【考案の属する技術分野】
本考案は改良した押しボタン構造に関し、特に押しボタン構造が占める空間を少なくすることが好ましい薄型液晶ディスプレイパネルに用いるものである。
【０００２】
【従来の技術】
現在、卓上用パソコンのディスプレイは、従来のブラウン管から液晶ディスプレイに変わりつつあり、液晶ディスプレイがすでに卓上用パソコンの標準部品の一つとされている。市販ディスプレイの種類は常に新しいものが出回り、構造設計上でもパネルは大型化かつ薄型が求められている。
【０００３】
液晶パネル薄型のデザインを図るため、関連部品の構造設計は極めて重要であり、その内最も重要な関係があるものは、明度、コントラストなどの多くの機能を操作する押しボタンである。
【０００４】
図１、図２は、公知の液晶ディスプレイを示しており、その内、パネル１の押しボタン群Ａは広い面積を占めており、それは押しボタンの操作方式が扁平押圧式であるという原因に基づいている。図３、図４に示すように、公知の扁平押圧式の押しボタン構造は押しボタン１１の周囲が弾性プレート１１１と連接しており、押しボタン１１の表面を押すと、この部分がへこんでしまう。このような構造であるため、押しボタン群Ａの全体には、広い平面面積が必要となり、液晶ディスプレイパネル１に設ける場合はパネル１の相当な空間を占めることになる。押しボタン群の設置位置及び必要な空間を確保するためには、パネル１の寸法を大きく形成しなければならず、これは、市場に求められている液晶ディスプレイの薄型化の要望に反することになる。
【０００５】
【考案が解決しようとする課題】
よって本考案は改良した押しボタン構造を提供し、公知の扁平押圧式のボタン構造を立体押圧式のボタン構造に変え、これによって液晶ディスプレイパネルに占めるボタン構造の空間を減らすとともに、パネル全体の設計寸法も大幅に低減することを目的とする。
【０００６】
【課題を解決するための手段】
本考案は、弾性部材と、対をなす弾性部材との間に連接され、突出した状態に設置されるボタン本体を有する押しボタン構造において、前記弾性部材は、連続し折り曲がって成形された弾力性且つ柔軟性のある帯状に形成されており、該弾性部材の一端部は、前記ボタン本体の側面に連結され、該ボタン本体を押圧するまたは該押圧を解除することによって前記弾性部材が伸縮することを特徴とする押しボタン構造であり、前記弾性部材は、上リブと、下リブと、該上下リブ間に連接されている緩衝体とを含んでおり、前記上リブはボタン本体の側面に連結され、前記緩衝体は弾力性且つ柔軟性のある帯状に形成され、前記ボタン本体側面に連続して折り曲がって成形されることと、前記押しボタンは、複数のボタンが列をなして設けられていることとを付加的な要件とするものである。つまり、液晶ディスプレイに適用する押しボタン構造を改良したものであり、特に、薄型の液晶ディスポレイパネル用の押しボタン構造に関するものである。この改良した押しボタン構造において、ボタン本体は、対をなす弾性部材の間に連結され、かつ突出した状態に設けられている。該弾性部材は、ボタン本体の側面に張り付きながら連続して折れ曲がって成形された緩衝体を含み弾力性と柔軟性のある帯状に形成されたもので、これによって押しボタンの全体は垂直立体状になっている。利用者がボタン本体を押すと、該弾性部材が互いに連帯して圧縮状態になり、これによってボタン本体が少し下に窪む。利用者がボタン本体を離すと、弾性部材の張力により、ボタン本体が突出状態へ回復される。このような垂直立体構造は、公知である広い空間を占める扁平状の構造に比べ、パネル上に一列に並べる場合、必要とする空間が少なく、よってパネルのかさも低減することができる。
【０００７】
【考案の実施の形態】
本考案を説明する上で、以下に具体的な一つの実施例をとりあげ、図面を参照して構造内容を詳しく説明する。
本考案に係る改良した押しボタン単体の構造の斜視図を図５、図６に示す。この改良した押しボタン構造は、二つの対をなす弾性部材２１と、該弾性部材２１間に置かれるボタン本体２２から構成されている。そのうち、該弾性部材２１は一つの上リブ２１１と一つの下リブ２１２とを有し、該上下リブ２１１、２１２の間には、対向して配設され対をなす緩衝体２１３が連結されている。該緩衝体２１３は、連続し折り曲がって成形された弾力性且つ柔軟性のある帯状に形成されており、前記弾性部材２１の一端部、即ち上リブ２１１が前記ボタン本体２２の側面の所定の位置に連結されている。即ち、前記ボタン本体２２は、前記弾性部材２１から突出した状態となっている。また、該弾性部材２１は、ボタン本体２２の側面に連続して折り曲がった状態に成形させても良い。更に、前記弾性部材２１には、連続して折り曲がって成形した緩衝体２１３を一つだけ形成しても良い。
【０００８】
図７に示すように、本考案の改良した押しボタン構造がＬＣＤパネル５に設けられる場合、該押しボタン構造は、内部回路基板４の切り換えスイッチ３の上に被せた状態で配設される。つまり、下リブ２１２が切り換えスイッチ３の縁部に配設された際、ボタン本体２２の底面がぴったりと切り換えスイッチ３の凸状部に接面するようになっている。図８に示すように、ボタン本体２２を押圧し、該ボタン本体２２が窪んだ場合、緩衝体２１３が弾力性かつ柔軟性という特性を有するため、該ボタン本体２２が押圧された瞬間、該緩衝体２１３に圧縮・変形が生じ、これによってボタン２２が切り換えスイッチ３を押し続け、さらに該切り換えスイッチ３が沈下することによって、内部導電体３１は回路基板の接触エレメント４１と接続することになる。
【０００９】
ボタン本体２２の押圧を解除すると、緩衝体２１３自身が、弾力性と柔軟性とを有するため、該緩衝体２１に回復力が生じ、それによって、図７に示すように、圧縮状態となった緩衝体２１３を押圧以前の状態に回復させることができ、下に少し沈んだボタン本体２２も元の状態に戻ることになる。
【００１０】
図９、図１０に示すように、本考案の改良した複数の押しボタン構造を一列に連接したボタン列Ｂの状態でパネル５に設けた場合、一つ一つの押しボタンが立体式構造であるため、パネル５中に占める平面的な空間は、図１、図２に示す公知の扁平式の押しボタン群のものもよりも、本考案の改良した押しボタン構造のほうがはるかに少なくてすみ、これによって、ＬＣＤパネルのかさ（パネル５に占めるボタン構造の空間または面積）を低減することができる。つまり、立体式構造の押しボタン構造にしたことにより、液晶ディスプレイパネルに取り付けた場合に、必要とする空間が少なくてすむため、該パネル全体の寸法を大幅に低減することができるのである。
【００１１】
上記の説明は、ほかでもなく本考案の比較的よい具体的な実施例及びその運用技術原理に関するもので、本考案の構想に基づく変更は、その生じた機能作用が明細書及び図面に含まれる主旨を超えないとき、すべて本考案の範囲内に含まれる。
【００１２】
【考案の効果】
以上述べたように、本考案に係る押しボタン構造は、弾性部材と、対をなす弾性部材との間に連結され、突出した状態に設置されるボタン本体を有する押しボタン構造において、前記弾性部材は、連続し折り曲がって成形された弾力性且つ柔軟性のある帯状に形成されており、該弾性部材の一端部は、前記ボタン本体の側面に連結され、該ボタン本体を押圧するまたは該押圧を解除することによって前記弾性部材が伸縮することにより、公知の扁平押圧式のボタン構造を立体押圧式のボタン構造に変え、これによって液晶ディスプレイパネルに占めるボタン構造の空間を減らすとともに、パネル全体の設計寸法も大幅に低減することができるため、公知の押しボタンの欠点を完全に除去し、確実にその効果を大きくすることができるという優れた効果を奏する。
【図面の簡単な説明】
【図１】従来技術である押しボタン群が設けられているパネルの外観を示した斜視図である。
【図２】同押しボタンを拡大して示した斜視図である。
【図３】同押しボタンの動作前の状態を示した断面図である。
【図４】同押しボタンを動作させた状態を示した断面図である。
【図５】本考案の実施の形態に係る押しボタン構造を示した斜視図である。
【図６】同押しボタン構造を下側から見た斜視図である。
【図７】同押しボタン構造の動作前の状態を示した断面図である。
【図８】同押しボタン構造を動作させた状態を示した断面図である。
【図９】同押しボタン構造をパネル上に一列に並べた状態を示した外観図である。
【図１０】同押しボタン構造をパネル上に一列に並べた状態の内部構造を拡大して示した斜視図である。
【符号の説明】
Ａ　　　押しボタン群
Ｂ　　　押しボタン列
１　　　パネル
１１　　押しボタン
１１１　弾性プレート
２１　　弾性部材
２１１　上リブ
２１２　下リブ
２２　　ボタン本体
３　　　切り換えスイッチ
３１　　導電体
４　　　回路基板
４１　　接触エレメント
５　　　パネル
【図１】
0003097543.tif 000003
【図２】
0003097543.tif 000004
【図３】
0003097543.tif 000005
【図４】
0003097543.tif 000006
【図５】
0003097543.tif 000007
【図６】
0003097543.tif 000008
【図７】
0003097543.tif 000009
【図８】
0003097543.tif 000010
【図９】
0003097543.tif 000011
【図１０】
0003097543.tif 000012